(57)【要約】  【課題】  封筒の開口を極力大きくすることで、シートと封筒とが接触させずに、適切にシートを封筒に挿入できる後処理装置およびそれを備えた画像形成装置を提供する。  【解決手段】  後処理装置６８において、封筒Ｅを載置するプレート１２と、この載置された封筒Ｅにおける開口Ｅ1から底部Ｅ2までの方向と同方向の封筒Ｅの両端部を挟持することで、この封筒Ｅを撓ませ、開口Ｅ1を広げるガイド１５とが設けられるようにする。【選択図】      図１
2006082462.tif 000002
【特許請求の範囲】
【請求項１】
封筒の開口に向かってシートを搬送させることで、封筒内にシートを挿入する後処理装置において、
上記封筒を載置するプレートと、
この載置された封筒における開口から底部までの方向と同方向の封筒の両端部を挟持することで、この封筒を撓ませ、上記開口を広げる挟持部とが設けられていることを特徴とする後処理装置。
【請求項２】
上記プレート上に、吸引開孔が設けられるとともに、
この吸引開孔を通じて、上記の載置された封筒をプレート上に吸い付ける吸引部が設けられていることを特徴とする請求項１に記載の後処理装置。
【請求項３】
上記封筒と接触することで、その封筒を係止させる係止部が設けられていることを特徴とする請求項１または２に記載の後処理装置。
【請求項４】
請求項１〜３のいずれか１項に記載の後処理装置を備えることで、印刷した封筒を上記プレート上に載置し、さらに、印刷したシートをこの封筒内に挿入させることを特徴とする画像形成装置。
【請求項５】
上記封筒の開口が、その封筒の搬送進行方向の上流側に位置するようにしたことを特徴とする請求項４に記載の画像形成装置。
【発明の詳細な説明】
【技術分野】
【０００１】
本発明は、画像形成装置等によって、印刷された封筒内に、シート（例えば印刷された用紙）を搬入するための後処理装置、およびそれを備えた画像形成装置に関するものである。
【背景技術】
【０００２】
従来、画像形成装置等には、印刷されて排出されたシートを仕分けして、複数のシート積載トレイに排出することのできる後処理装置が設けられている。そして、最近では、シート積載トレイ上に排出されたシートを封筒に詰め込むことのできる後処理装置も開発されている。このような後処理装置の一例として、特許文献１のような装置（後処理装置）が挙げられる。
【０００３】
図９・図１０（図９の部分拡大図）に示すように、この後処理装置１６９は、チャックコロ１７１・１７２によって、封筒Ｅ’のフラップ部（封筒の折り返し片）を挟持することで、封筒Ｅ’の開口を広げ、その開口から所望の印刷されたシートＰ’を挿入できるようになっている。
【特許文献１】特許第３３３９８６９号（請求項１・図１・図１２等参照）
【発明の開示】
【発明が解決しようとする課題】
【０００４】
しかしながら、この後処理装置１６９では、封筒Ｅ’のフラップ部を挟持しながら垂れ下げることで、封筒Ｅ’の開口を広げているだけである。つまり、この後処理装置１６９は、フラップ部につながる封筒Ｅ’の表面のみを反り返らせることで、開口を広がるだけである。そのため、封筒Ｅ’の開口は極めて小さくならざるをえない〔封筒Ｅ’の表面と裏面との距離（すなわち開口）が、極めて小さくならざるをえない〕。
【０００５】
そして、このような小さな開口が存在することを前提にして、バックユニット１７３を用いて、封筒Ｅ’内部にシートＰ’を挿入するようになっているため、シートＰ’が封筒Ｅ’の開口に挿入されることなく、接触してしまうことが多く発生する。
【０００６】
本発明は、上記の問題点を解決するためになされたものであって、その目的は、封筒の開口を極力大きくすることで、シートと封筒とが接触することをなくし、適切にシートを封筒に挿入できる後処理装置、およびそれを備えた画像形成装置を提供することにある。
【課題を解決するための手段】
【０００７】
本発明の後処理装置は、封筒の開口に向かってシートを搬送させることで、封筒内にシートを挿入する後処理装置であって、上記封筒を載置するプレートと、この載置された封筒における開口から底部までの方向と同方向の封筒の両端部を挟持することで、この封筒を撓ませ、上記開口を広げる挟持部とが設けられていることを特徴としている。
【０００８】
これによると、封筒を撓ませることで、封筒の表面と裏面とを解離させて、開口を広げることができる。すると、例えば封筒のフラップ部につながる封筒表面のみを反り返らせることで、開口を広げる場合に比べて、大きな開口を得ることができる。したがって、本発明の後処理装置では、シートが封筒の開口に挿入されることなく、接触してしまうような事態を回避でき、確実に封筒内にシートを挿入させることができる。
【０００９】
また、本発明の後処理装置では、上記プレート上に、吸引開孔が設けられるとともに、この吸引開孔を通じて、上記の載置された封筒をプレート上に吸い付ける吸引部が設けられていることが好ましい。
【００１０】
これによると、吸引部が、封筒の一面〔プレートと接触している面（例えば封筒裏面）〕をプレートに吸い付けるため、安定して封筒の他方の一面（例えば封筒表面）を撓ませることができる。したがって、封筒の開口の大きさを一定以上の大きさを確保できる。
【００１１】
また、本発明の後処理装置では、上記封筒と接触することで、その封筒を係止させる係止部が設けられていることが好ましい。
【００１２】
これによると、封筒を係止させることで、プレート上の所望の位置にて、封筒を載置させることができる。その上、シートを封筒に挿入するときに、封筒が係止していることから、両者間（シート・封筒間）で位置ずれが起こりにくくなる。したがって、確実にシートを封筒に挿入することができる。
【００１３】
なお、本発明の画像形成装置は、上記のような本発明の後処理装置を備えることで、印刷した封筒を上記プレート上に載置し、さらに、印刷したシートをこの封筒内に挿入させることを特徴としている。
【００１４】
また、本発明の画像形成装置では、上記封筒の開口が、その封筒の搬送進行方向の上流側に位置するようにしたことが好ましい。
【００１５】
これによると、封筒が後処理装置におけるプレート上に載置されたとき、封筒の開口の向きが搬送進行方向に対向するようになる。すると、同じようにこの搬送進行方向から流れてくる（排出されてくる）シートが、容易に、開口から封筒に挿入される。
【発明の効果】
【００１６】
本発明の後処理装置および画像形成装置は、封筒を撓ませることで、封筒の表面と裏面とを解離させて、開口を広げることができる。したがって、シートが封筒の開口に挿入されることなく、接触してしまうような事態を回避でき、確実に封筒内にシートを挿入させることができる。
【発明を実施するための最良の形態】
【００１７】
本発明の実施の一形態について、図面に基づいて説明すれば、以下の通りである。
【００１８】
〈画像形成装置の概略構成について〉
図８は、本発明の画像形成装置６９の概略構成図を示している。この図に示すように、画像形成装置６９は、縦長の本体３１を備えており、その本体３１の最上部には原稿を読み取るＣＣＤ３２ａを備えるスキャナー３２が配置されている。
【００１９】
そして、スキャナー３２の下には、放電する帯電部３３、帯電部３３の放電により表面を帯電させる感光体３４、スキャナー３２で読み取った原稿データ（出力画像データ）に応じて光線（レーザー光線等）を発し、感光体３４に静電潜像を形成させるＬＳＵ（レーザースキャニングユニット）３５、静電潜像にトナーを付着させる現像部〔Ｙ（イエロー）・Ｍ（マゼンタ）・Ｃ（シアン）・ＢＫ（ブラック）の４色の現像部〕３６、トナーの付着した感光体３４のトナー像を搬送部（搬送経路）３７に流れるシートＰへ転写させる２次転写ベルト３８・転写部３９、シートＰの搬送タイミングを調節するレジストローラー（レジストローラー対）４１、シートＰ上に転写されたトナー像を定着させる定着部４２、および制御部１等が設けられるようになっている。なお、上記の帯電部３３・感光体３４・ＬＳＵ３５・現像部３６・２次転写ベルト３８・転写部３９・定着部４２を印字部３０（図３参照）と表現する。
【００２０】
さらに、画像形成装置６９には、定着したシートＰを排出する排出ローラー対４３と、これを駆動させる排出ローラー用モーター４３ａ（図３参照）が設けられるようになっている。また、シートＰ等を収納するカセット部４４、厚紙や封筒を収納するバイパス部４５が設けられるようにもなっている。その上、これらのカセット部４４・バイパス部４５には、シートＰや封筒Ｅを画像形成装置６９内に送り出すための給紙ローラー５１、この給紙ローラー５１から送り出されたシートＰの重送を防止するための捌きローラー対５２が設けられるようになっている。なお、カセット部４４用のこれらのローラー５１・５２をカセット用ローラー群Ｕ、バイパス部４５用のこれらのローラー５１・５２をバイパス用ローラー群Ｖと称し、これらを駆動するための駆動モーター（不図示）がそれぞれ設けられるようになっている。
【００２１】
なお、画像形成装置６９に設けられている制御部１は、図３のブロック図に示すように、印字部３０や後処理装置６８等を制御するものである。
【００２２】
〈後処理装置の概略構成について〉
後処理装置６８は、図８に示すように、画像形成装置６９によって印刷されたシートＰの排出先に位置するように設けられている。そして、後処理装置６８は、図８の部分αを拡大した斜視図である図１、および図１の矢視Ａ−Ａ’からの概略構成図である図２に示すように、ハウジング１０（図８参照）と、シート載置トレイ１１（図８参照）、プレート１２、ストッパー（係止部）１４、ガイド（挟持部）１５、処理ローラー１６、および吸引ファン（吸引部）２１を含むように構成されている。
【００２３】
ハウジング１０は、後処理装置６８の本体を構成する四方体状のケースである。シート載置トレイ１１は、画像形成装置６９にて処理された印刷物を載置するものであり、例えば図８のように、垂直方向に沿ってハウジング１０に複数設けられている。
【００２４】
プレート１２は、画像形成装置６９によって印刷された封筒Ｅや、その封筒Ｅ内に挿入する予定のシートＰ等を一時的に載置するものである。例えば、このプレート１２は、ハウジング１０内の例えば四隅において、立ち上がった状態で設けられている（立設されている）支持軸１３上に取り付けられている。そして、駆動モーター（プレート用モーター１２ａ；図３参照）からの駆動力を受け、このプレート１２は、支持軸１３に沿って上下方向に移動（昇降移動）可能となっている。
【００２５】
また、プレート１２の面上には、プレート１２の表側面・裏側面を貫通するような開孔（吸引開孔）１７が設けられている。この吸引開孔１７は、封筒Ｅをプレート１２上で不動とさせるため、後述する吸引ファン２１による吸い込み（吸引力）を受けられるようにするためのものである。
【００２６】
ストッパー１４は、プレート１２の所定位置にて載置させるために、画像形成装置６９から勢いよく排出されてきた封筒ＥやシートＰ等に接触することで、その封筒Ｅ等の動きを停止（係止）させるものである。例えば、このストッパー１４は、プレート１２上の表面から裏面にかけて貫通するようにして設けられているストッパー用開口溝に嵌め込まれるようにして取り付けられている。そして、駆動モーター（ストッパー用モーター１４ａ；図３参照）からの駆動力を受け、このストッパー１４は、ストッパー用開口溝に沿って上下方向に移動（昇降移動）可能となっている。
【００２７】
ガイド１５（１５ａ・１５ｂ；挟持部）は、封筒Ｅを撓ませることで、その封筒Ｅの開口Ｅ1を広げるものである。例えば、封筒Ｅ等の搬送されてくる方向（搬送進行方向）に対して垂直方向で、かつプレート１２の面上に沿って刻まれたガイド溝（不図示）に、ガイド１５の一部が嵌め込まれるようにして取り付けられている。そして、駆動モーター（ガイド用モーター１５ａ；図３参照）からの駆動力を受け、このガイド１５ａ・１５ｂは、ガイド溝に沿って往復移動可能となっている。
【００２８】
具体的には、ガイド１５ａと、ガイド１５ｂとが、封筒Ｅを挟み込むために、近づきあうように移動する場合と、封筒Ｅを挟まないようにするために、離れるように（離間するように）移動する場合とが可能になっている。なお、封筒Ｅの開口Ｅ1を広げるために、封筒Ｅにおける開口Ｅ1から底部Ｅ2までの方向と同方向（平行方向）の封筒Ｅの両端部を挟持するようになっている。
【００２９】
処理ローラー１６は、後述の後処理の施された封筒Ｅをシート載置トレイ１１に向けて排出するローラーである。なお、この処理ローラー１６は、不図示の保持部にて保持されており、シート載置トレイ１１に向けて排出するときは封筒Ｅに当接するように移動するとともに、後処理の施されているときは封筒Ｅから離間するようになっている。そして、この処理ローラー１６の当接・離間移動の駆動力を供給するとともに、シート載置トレイ１１に向けて封筒Ｅを排出するための回転力を供給するものとして、駆動モーター（処理ローラー用モーター１６ａ；図３参照）が、設けられるようになっている。
【００３０】
吸引ファン２１は、封筒Ｅの載置されるプレート１２の一面（表側面）の裏側に該当する面（裏側面）側に設けられており、プレート１２に設けられた吸引開孔１７を通じて、プレート１２上に載置された封筒Ｅ等を引き寄せることで〔特にプレート１２と接触している側の封筒Ｅの一面（例えば封筒裏面）を引き寄せることで〕、封筒Ｅを不動とさせるものである。
【００３１】
なお、図示していないが、本発明の後処理装置６８に、画像形成装置６９から排出されてきた封筒Ｅ等をプレート１２上に搬送する後処理用搬送ローラーが設けられるようにしてもよい。
【００３２】
〈制御部による制御について〉
ここで、制御部１の指令に基づいた印字動作および後処理動作について、図３〜図７を用いて説明する。なお、図４・図６のフローチャートにおいては、動作のステップを「Ｓ」と表記する。
【００３３】
《重ね合わせ排出について》
まず、制御部１は、例えば下記の表１・表２のように、封筒Ｅの宛名を示すデータ（宛名データ；Ａ1、Ａ2〜Ａn）と、封筒Ｅ内に挿入するシートＰの印刷データ（内容物データ；Ｂ1、Ｂ2〜Ｂn）とが関連づけられたデータテーブルを取得するようになっている（Ｓ１）。
【００３４】
【表１】
2006082462.tif 000003
【００３５】
【表２】
2006082462.tif 000004
【００３６】
なお、表１は、各々異なる宛名データに、各々異なる内容物データを関連づけたデータテーブルであり、表２は、同じ内容物データを各々異なる宛名データに関連づけたデータテーブルである。
【００３７】
また、このデータテーブルは、画像形成装置６９に設けられた入力部２を用いることで、スキャナー３２で読み取ったデータにて作成されてもよいし、パーソナルコンピューター（ＰＣ３）等の外部機器にて作成されてもよい。
【００３８】
次に、制御部１は、入力部２またはＰＣ３からによるユーザーの指示、具体的には、宛名データ・内容物データの両方またはいずれか一方のみを印刷するか否かについての指示を参照して、判断を下す（Ｓ２）。そして、この指示がいずれか一方のみのデータ（宛名データ・内容物データ）を印刷する場合、制御部１は、通常のように、印字部３０を用いて印刷するようになっている（Ｓ３）。
【００３９】
しかし、宛名データ・内容物データの両方を印刷する場合、まず、制御部１は、バイパス用ローラー群Ｖを駆動させるようにして、バイパス部４５にセットされた封筒Ｅを画像形成装置６９の内部へと搬送させる（Ｓ４）。そして、制御部１は、搬送された封筒Ｅに印字部３０を用いて、宛名データ（例えばＡ1）を印刷させる（Ｓ５）。
【００４０】
その後、制御部１は、排出ローラー用モーター４３ａを駆動させることで、排出ローラー４３で宛名データの印刷された封筒Ｅを、後処理装置６８のプレート１２上に向けて排出させる（Ｓ６）。そして、さらに、制御部１は、後処理装置６８の処理ローラー用モーター１６ａを駆動させることで、処理ローラー１６でプレート１２上の封筒Ｅを、シート載置トレイ１１に向けて搬送（排出）させる（Ｓ７）。
【００４１】
次に、制御部１は、内容物データを印刷すべく、カセット用ローラー群Ｕを駆動させるようにして、カセット部４４にセットされたシートＰを画像形成装置６９の内部へと搬送させる（Ｓ８）。そして、制御部１は、シートＰに印字部３０を用いて、内容物データ（例えばＢ1）を印刷させる（Ｓ９）。
【００４２】
その後、制御部１は、Ｓ６同様、排出ローラー４３で内容物データの印刷されたシートを、後処理装置６８のプレート１２上に向けて排出させる（Ｓ１０）。そして、さらに、制御部１は、Ｓ７同様、処理ローラー１６でプレート１２上のシートを、シート載置トレイ１１に向けて搬送させる（Ｓ１１）。
【００４３】
そして、制御部１は、全ての宛名データ（Ａ1〜Ａn）を印刷したか否かについて判断し（Ｓ１２）、全ての宛名データの印刷が終了していれば、画像形成装置６９による印刷を完了させる（Ｓ１３）。一方、まだ、印刷する予定の宛名データがあれば、継続して印刷を続けるようになっている（Ｓ１２→Ｓ４）。
【００４４】
このようにして、画像形成装置６９による印刷を行うと、シート載置トレイ１１には、図５のように、封筒Ｅに、その封筒Ｅに挿入されるべきシートＰが重なるようにして載置される。つまり、封筒Ｅと、その封筒Ｅに挿入されるべきシートＰとがセットになって、シート載置トレイ１１に載置されるようになる。
【００４５】
《シート挿入排出について》
上記の図５のように、封筒ＥとシートＰとをセットにした排出（重ね合わせ排出）のほかにも、本発明の後処理装置６８・画像形成装置６９では、下記に説明するように（図３・図６参照）、シートＰを封筒Ｅに挿入させるようにして排出（シート挿入排出）させることもできる。なお、図６のフローチャートにおいては、動作のステップを「Ｓ」と表記するものとし、図４と同じ動作ステップには、同符号を付すものとする。
【００４６】
まず、制御部１は、データテーブルを取得し（Ｓ１）、宛名データ・内容物データの両方またはいずれか一方のみを印刷するか否かについての指示を参照して、判断を下す（Ｓ２）。
【００４７】
そして、宛名データ・内容物データの両方を印刷する場合、まず、制御部１は、バイパス部４５にセットされた封筒Ｅを画像形成装置６９の内部へと搬送させて（Ｓ４）、搬送された封筒Ｅに、宛名データ（例えばＡ1）を印刷させる（Ｓ５）。
【００４８】
次に、制御部１は、後処理装置６８のストッパー用モーター１４ａを用いて、ストッパー１４をプレート１２の載置面（封筒Ｅ等の載置される面）から突び出すように移動させる（Ｓ２１）。
【００４９】
その後、制御部１は、排出ローラー４３で宛名データの印刷された封筒Ｅを、後処理装置６８のプレート１２上に向けて排出させる（Ｓ２２）。すると、画像形成装置６９から勢いよく排出されてきた封筒Ｅは、ストッパー１４に接触するようにして、プレート１２上で停止（係止）した後、載置されるようになる。
【００５０】
続いて、制御部１は、吸引ファン２１を駆動させて、プレート１２上の吸引開孔１７を通じて、封筒Ｅをそのプレート１２上に吸着させるようにする（プレート１２上の所定位置から不動となるようにする；Ｓ２３）。そして、制御部１は、後処理装置６８のガイド用モーター１５ａを用いて、ガイド１５（１５ａ・１５ｂ）で封筒Ｅを挟み込むように移動させる（Ｓ２４）。
【００５１】
すると、図２に示すように、プレート１２に接触する側の封筒Ｅの一面（裏面）は、吸引ファン２１によって、プレート１２上に密着するように引き寄せられる一方、封筒Ｅの表面（裏面の対向面）は、ガイド１５にて撓まされ、裏面から解離するようにようになる。その結果、封筒Ｅの開口Ｅ1が大きく広がるようになる。
【００５２】
ところで、Ｓ２１〜Ｓ２４は、制御部１による指令に基づいて、後処理装置６８での各部材（ガイド１５等）の動作である。したがって、このＳ２１〜Ｓ２４の間、画像形成装置６９では、制御部１が、内容物データを印刷すべく、カセット部４４にセットされたシートＰを画像形成装置６９の内部へと搬送させ（Ｓ８）、シートＰに印字部３０を用いて、内容物データを印刷させる（Ｓ９）。
【００５３】
そして、封筒Ｅの開口Ｅ1が大きく広げられた状態で、制御部１は、排出ローラー用モーター４３ａを駆動させて、内容物データの印刷されたシートＰをプレート１２上に向けて排出させる。すると、その排出されたシートＰは、開口から封筒Ｅの内部に挿入されることになる（Ｓ２５）。
【００５４】
このように、シートＰが封筒Ｅに挿入された後、次に、このシートＰの入った封筒Ｅをシート載置トレイ１１に排出させるようにしたい。そこで、制御部１は、吸引ファン２１の駆動を停止させるとともに、ストッパー１４・ガイド１５の移動を解除する。つまり、ストッパー１４をプレート１２の載置面から突び出さないように（埋まるように）移動させて、封筒Ｅの搬送経路を確保するとともに、封筒Ｅを処理ローラー１６によって、シート載置トレイ１１に搬送可能とするために、ガイドによる挟持を解除する（Ｓ２６）。
【００５５】
そして、封筒Ｅが移動可能になるとともに、搬送経路が確保できれば、制御部１は、処理ローラー１６でプレート１２上のシートＰを、シート載置トレイ１１に向けて排出させる（Ｓ１１）。
【００５６】
そして、制御部１は、上記同様、全ての宛名データ（Ａ1〜Ａn）を印刷したか否かについて判断し（Ｓ１２）、全ての宛名データの印刷が終了していれば、画像形成装置６９による印刷を完了させる（Ｓ１３）。一方、まだ、印刷する予定の宛名データがあれば、継続して印刷を続けるようになっている（Ｓ１２→Ｓ４）。
【００５７】
このようにして、画像形成装置６９による印刷および後処理装置６８による後処理を行うと、シート載置トレイ１１には、図７のように、シートＰが封筒Ｅに挿入された状態で載置されることになる。
【００５８】
〈本発明の後処理装置・画像形成装置の特徴〉
以上のように、封筒Ｅの開口Ｅ1に向かってシートＰを搬送させることで、封筒Ｅ内にシートＰを挿入する本発明の後処理装置では、封筒Ｅを載置するプレート１２と、この載置された封筒Ｅにおける開口Ｅ1から底部Ｅ2までの方向と同方向の封筒Ｅの両端部を挟持することで、この封筒Ｅを撓ませ、開口Ｅ1を広げるガイドとが設けられている。
【００５９】
これによると、封筒Ｅの両端部が挟み込まれることになるので、その封筒Ｅの表面と裏面とが離反（離間）する方向で撓ませることができる。特に、プレート１２上に設けられた吸引開孔１７を通じ、吸引ファン２１で封筒Ｅをプレート１２上に吸い付けるようにすれば、封筒Ｅの裏面は、確実に、プレート１２面に密着し、封筒Ｅの表面は、プレート１２面から解離する方向に撓む。そのため、封筒Ｅの開口Ｅ1が大きく広がることになる〔例えば封筒Ｅの表面と裏面との距離（すなわち開口の間隔）が、大きく広がることになる〕。したがって、本発明の後処理装置６８では、シートＰが封筒Ｅの開口Ｅ1に接触することなく、確実に挿入することができる。
【００６０】
また、本発明の後処理装置６８では、封筒Ｅと接触することで、その封筒Ｅを係止させるストッパー１４が設けられているので、所望の位置にて、封筒Ｅをプレート１２上に載置させることができる。その上、シートＰを封筒Ｅに挿入するときに、両者（シートＰと封筒Ｅとの間で）位置ずれが起こりにくくなる。したがって、確実にシートＰを封筒Ｅに挿入することができる。
【００６１】
〈本発明におけるその他の特徴〉
なお、本発明は上記の実施の形態に限定されず、本発明の趣旨を逸脱しない範囲で、種々の変更が可能である。
【００６２】
例えば上述の説明では、制御部は、画像形成装置内に備えられていることになっているが、後処理装置における制御の機能を後処理装置自身に持たせるようにしてもよい。つまり、画像形成装置と後処理装置とで、各々制御部（画像形成用制御部・後処理用制御部）を備えるようにしても構わない。このようにすれば、各制御部の負担を軽減させることができるためである。
【００６３】
また、プレートに設けた吸引開孔の形状や個数については、特に限定されるものではない。例えば図１・２のように円筒状の開孔であってもよいし、四方体状の開孔であってもよい。要は、吸引ファンによる吸引力を封筒が受けられるような開孔であればい。
【００６４】
また、封筒の開口が、画像形成装置における封筒の搬送進行方向の上流側に位置するように、バイパス部にセットしたほうが好ましい。このようにすれば、封筒が後処理装置におけるプレート上に載置されたとき、封筒の開口の向きが搬送進行方向に対向するようになる。すると、同じようにこの搬送進行方向から流れてくる（排出されてくる）シートが、容易に、開口から封筒に挿入されるようになるためである。
【産業上の利用可能性】
【００６５】
本発明は、封筒にシートを挿入するような後処理装置に有用である。
【図面の簡単な説明】
【００６６】
【図１】本発明の後処理装置の概略斜視図であり、後述の図８における部分αを拡大したものである。
【図２】図１の矢視Ａ−Ａ’からの概略構成図である。
【図３】本発明の後処理装置・画像形成装置のブロック図である。
【図４】シートと封筒とを重ね合わせて、シート載置トレイに載置させる場合（重ね合わせ排出）のフローチャートである。
【図５】上記の重ね合わせ排出により、シートと封筒とが重ね合わさって、シート載置トレイに載置されている状態を示す説明図である。
【図６】封筒内にシートを挿入して、それをシート載置トレイに載置させる場合（シート挿入排出）のフローチャートである。
【図７】上記のシート挿入排出により、シートの挿入された封筒がシート載置トレイに載置されている状態を示す説明図である。
【図８】本発明の画像形成装置の概略構成図である。
【図９】従来の後処理装置の概略構成図である。
【図１０】図９の部分拡大図である。
【符号の説明】
【００６７】
１    制御部
１１    プレート
１２    シート載置トレイ
１４    ストッパー（係止部）
１５    ガイド（挟持部）
１７    吸引開孔
２１    吸引ファン（吸引部）
６８    後処理装置
６９    画像形成装置
【図１】
2006082462.tif 000005
【図２】
2006082462.tif 000006
【図３】
2006082462.tif 000007
【図４】
2006082462.tif 000008
【図５】
2006082462.tif 000009
【図６】
2006082462.tif 000010
【図７】
2006082462.tif 000011
【図８】
2006082462.tif 000012
【図９】
2006082462.tif 000013
【図１０】
2006082462.tif 000014